(57)【特許請求の範囲】
【請求項１】
回転可能に設けられたドラムと、該ドラムの回転軸と平行に配設された第１のシャフトと、該第１のシャフトに取り付けられ、前記ドラムの周面上に設けられた受像シートに当接可能な受像シート押さえ板とを具備する画像転写装置において、
前記第１のシャフトに対する前記受像シート押さえ板の取り付けは、
前記第１のシャフト,前記受像シート押さえ板のうち、どちらか一方の部材に設けられ、少なくとも前記第１のシャフトの軸方向に延びるガイド穴と、
前記第１のシャフト,前記受像シート押さえ板のうちの他方の部材に設けられためねじ穴と、
頭部の径が前記ガイド穴の短いほうの幅より大きく、首部が前記ガイド穴に遊嵌し、前記めねじ穴に螺合するボルトと、
からなることを特徴とする画像転写装置。
【請求項２】
回転可能に設けられたドラムと、該ドラムの回転軸と平行に配設された第１のシャフトと、該第１のシャフトに取り付けられ、前記ドラムの円周面上に設けられた受像シートに当接可能な受像シート押さえ板と、一端部が前記ドラムに、他端部が前記受像シート押さえ板に係止され、前記受像シート押さえ板の先端部側を前記受像シート方向へ付勢する付勢部材と具備する画像転写装置において、
前記付勢部材は、前記第１のシャフトに沿って設けられる複数の同じばねからなり、
前記受像シート押さえ板の両端部側の前記ばねの取り付けピッチを前記受像シート押さえ板の略中間部のばねの取り付けピッチより密にしたことを特徴とする画像転写装置。
【発明の詳細な説明】
【０００１】
【発明の属する技術分野】
本発明は、回転するドラム上に設けられた受像シート上に画像シートを積層し、加圧,加熱することにより受像シートの画像を画像シートへ転写する画像転写装置に関する。
【０００２】
【従来の技術】
従来、印刷製版の分野においては、写真原稿(ネガカラーフィルム、リバーサルカラーフィルムペーパー等)の連続階調画像から一旦色分解して例えば、三色ないし四色の網点のフィルムを作成し、このフィルムからPS版等の印刷版を作成している。従って、印刷版を作るまで、多量のフィルムを用いて、色分け、画像の合成を行なっているのが現状である。この複雑な作業の中では、文字、レイアウトの間違い等多くのミスが発生する。さらには、発注者からの急な変更等に対応しなければならず、要望された色調階調、レイアウトに印刷物が仕上がるかどうかの事前チェックが必要となる。これらの確認のため正式の印刷版を作る前に、校正刷りと呼ばれる試し刷りや他の種々なシステムが使用されている。
【０００３】
例えば、網点のフィルムからCRTを用いるもの、カラー感光材料等銀塩を用いたもの、ジアゾ等非銀塩感光材料を用いたもの、電子写真方式のもの、乾式トナーにより画像形成するもの等の方法により画像を作り、出来上がりの印刷物を推定するものである。
【０００４】
しかし、これらの校正システムでは、一般的に一枚の校正を作るのに長時間を要し、装置が大きい、材料費が高い、作業性が悪い等の問題があり、実用上充分なシステムになっていないのが、現状である。
【０００５】
このため、近年、校正物を得る方法として、フォトポリマー感光性材料を用いた校正システムが使用されるようになり、色画像として印刷インクと同じ顔料を用い、印刷物とかなり近似した多色画像が得られるようになった。
【０００６】
図６は、このようなフォトポリマー感光性シートを用いた画像転写装置(カラー校正機)の全体構成図である。図において、１は転写部、２は現像部である。尚、画像露光部は別装置となっており、図示しない。
【０００７】
現像部２は、画像露光部で画像露光された各色の感光性シート(画像シート)を現像する現像処理部３と、現像処理された感光性シートを洗浄する洗浄部４と、洗浄が完了した感光性シートを乾燥させる乾燥部５とから構成されている。
【０００８】
一方、転写部１において、６は内部にヒータ等の熱源を有し、所定の温度に設定されるドラムである。このドラム６上には、受像シート１１が取付けられる装着部１０が設けられ、この受像シート１１上に各色の画像シート１２が積層される。７はドラム６に対して接近/離反可能に設けられ、内部にヒータ等の熱源を有し、受像シート１１,画像シート１２を加圧及び加熱する加圧ローラ、８は画像シート１２から受像シート１１へ画像の転写が終了した画像シート１２を装置外へ挟持搬送する排出ローラ対、１３はドラム６の円筒面上を移動可能に設けられ、画像シート１２が加圧ローラ７に加圧される前に、受像シート１１上に積層されるのを防止する分離ガイドである。
【０００９】
このようなプルーフを作成する画像形成装置の作動は、下記のとおりである。
(1) 図示しない画像露光部により、Y(キ),M(アカ),C(アイ),K(スミ)の各色の感光性シートを各色に対応した分解ポジ(またはネガ)フィルムと重ねて画像露光する。
【００１０】
(2) 現像部２で現像処理することにより各色の画像シート１２を得る。
(3) 転写部１で、各色の画像シート１２をドラム６上に設けられた受像シート１１に重ね、加圧ローラ７を用いて加圧及び加熱して転写させる操作を一枚の受像シート１１に各色毎行なって、多色カラー画像を作成する。
【００１１】
次に、装着部１０の説明を行なう。図７は図６における装着部の断面構成図、図８は図７における切断線A-Aにおける断面図である。
ドラム６上には、受像シート１１を固着する粘着シート２１が設けられている。
【００１２】
装着部１０の両サイドには立壁部１０ａが形成され、これら立壁部１０ａ間には、中央部の断面形状が矩形の第１のシャフト２２と第２のシャフト２３とが回転可能に取り付けられている。
【００１３】
第１のシャフト２２には、ボルト２４を用いて略L字形の受像シート押さえ板２５の基端部が取り付けられている。この受像シート押さえ板２５の先端部は粘着シート２１上に設けられた受像シート１１の端部上面に当接可能となっている。
【００１４】
２６は受像シート押さえ板２５の長手方向(ドラム６の母線方向)に沿って等ピッチ間隔で複数設けられ、一端部がドラム６側に、他端部が受像シート押さえ板２５に係止され、受像シート押さえ板２５の先端部側を受像シート１１方向に付勢するスプリングである。
【００１５】
受像シート押さえ板２５上には、画像シート１２の先端部に形成された位置決め穴１２ａが係合可能なピン２７ａが設けられたピンバー２７が配設される。
第２のシャフト２３には、ボルト２９を用いて略L字形の剥離板２８の基端部が取り付けられている。この剥離板２８の先端部側は、ピンバー２７のピン２７ａが貫通する穴２８ａが形成され、先端部側の下面はピンバー２７に当接可能となっている。
【００１６】
そして、この剥離板２８上に画像シート１２の先端部が積層配置されるとともに、画像シート１２の位置決め穴１２ａがピンバー２７のピン２７ａに係合している。
【００１７】
また、立壁部１０ａを挿通する第２のシャフト２３の両端部には、ドラム６の回転軸に向かって延出するレバー３０が固着されている。そして、一端部がレバー３０に係止され、他端部がドラム６に係止されたスプリング３１によって、第２のシャフト２３に取り付けられた剥離板２８はピンバー２７を押圧する付勢力が与えられている。
【００１８】
更に、転写部１の側板３２(図８参照)には、レバー３０の先端部が当接し、スプリング３１の付勢力に抗して剥
離板２８をピンバー２７から離れる方向に回転させるガイド３３が設けられている。
【００１９】
次に、上述の装着部１０の作動の説明を行なう。ドラム６が回転し、受像シート１１上に積層された画像シート１２の受像シート１１への加圧転写が終了すると、剥離板２８のレバー３０はガイド３２に案内され、剥離板２８はピンバー２７より離れる方向へ回転し、画像シート１２の先端部をドラム６より持ち上げる。そして、画像シート１２の前端部は排出ローラ対８によって挟持搬送され、装置外へ排出される。
【００２０】
【発明が解決しようとする課題】
しかし、上記構成の画像転写装置において、下記のような問題点がある。
(1) 受像シート押さえ板２５はボルト２４によって、第１のシャフト２２に固着されている。一方、ドラム６が温調され高温となると、受像シート押さえ板２５も高温となり、熱膨張により歪む。特に、受像シート押さえ板２５の長手方向の熱膨張が大きく、受像シート１１への押さえ力がばらついてしまう。
【００２１】
一般に、受像シート１１が連量100kg/四六版程度の厚さの場合は問題ないが、連量50kg/四六版程度の厚さになると、転写時に受像シート１１にしわがよったり、ずれたりして良好な画像を得られない問題点が発生する。
【００２２】
特に、ずれに関しては、10μm程度ずれても 画質に大きな影響がある。
(2) 剥離板２８も受像シート押さえ板２５と同様に、ボルト２９によって第２のシャフト２３に固着されている。よって、ドラム６が温調され高温となると、剥離板２８も、熱膨張により、剥離板２８の長手方向に歪む。
【００２３】
この剥離板２８が歪むと、ピンバー２７のピン２７ａに係合する画像シート１２の前端部を持ち上げ、各色の画像シート１２の受像シート１１への転写時に、転写画像がずれ、良好な画像を得られない問題点がある。
【００２４】
(3) 受像シート押さえ板２５は受像シート押さえ板２５の長手方向に沿って等ピッチに設けられた複数の同一仕様のスプリング２６によって、受像シート１１を押さえている。
【００２５】
しかし、このような構成においては、受像シート押さえ板２５の長手方向の中央部が両側部に比べて大きく撓み、受像シート押さえ板２５の両側部の押さえ力が中央部に比べて弱くなる。よって、受像シート１１が押さえ力が大きな受像シート押さえ板２５の中央部を回転中心として回転し、良好な画像を得られない問題点が発生する。
【００２６】
本発明は、上記問題点に鑑みてなされたもので、その目的は、良好な転写画像を得ることができる画像転写装置を提供することにある。
【００２７】
【課題を解決するための手段】
上記課題を解決する第１の発明の画像転写装置は、回転可能に設けられたドラムと、該ドラムの回転軸と平行に配設された第１のシャフトと、該第１のシャフトに取り付けられ、前記ドラムの周面上に設けられた受像シートに当接可能な受像シート押さえ板とを具備する画像転写装置において、前記第１のシャフトに対する前記受像シート押さえ板の取り付けは、前記第１のシャフト,前記受像シート押さえ板のうち、どちらか一方の部材に設けられ、少なくとも前記第１のシャフトの軸方向に延びるガイド穴と、前記第１のシャフト,前記受像シート押さえ板のうちの他方の部材に設けられためねじ穴と、頭部の径が前記ガイド穴の短いほうの幅より大きく、首部が前記ガイド穴に遊嵌し、前記めねじ穴に螺合するボルトと、からなるものである。
【００３０】
このように構成することにより、受像シート押さえ板は、少なくとも第１のシャフトの軸方向に移動可能となり、熱によって受像シート押さえ板が第１のシャフトの軸方向に膨張しても、受像シート押さえ板は歪まない。よって、受像シート押さえ板は均一に受像シートを押さえ、良好な転写画像が得られる。
【００３１】
第２の発明の画像転写装置においては、回転可能に設けられたドラムと、該ドラムの回転軸と平行に配設された第１のシャフトと、該第１のシャフトに取り付けられ、前記ドラムの円周面上に設けられた受像シートに当接可能な受像シート押さえ板と、一端部が前記ドラムに、他端部が前記受像シート押さえ板に係止され、前記受像シート押さえ板の先端部側を前記受像シート方向へ付勢する付勢部材と具備する画像転写装置において、前記付勢部材は、前記第１のシャフトに沿って設けられる複数の同じばねからなり、前記受像シート押さえ板の両端部側の前記ばねの取り付けピッチを前記受像シート押さえ板の略中間部のばねの取り付けピッチより密にしたものである。
【００３２】
ここで、付勢力を発生する手段としては、金属ばね、ゴム、樹脂等の弾性部材や磁石等があり、限定するものではない。
受像シート押さえ板の両端部の押さえ力が中央部に比べて大きくなり、少なくとも２つの箇所で受像シートを押さえるので、受像シートは回転せず、良好な転写画像が得られる。
【００３９】
【発明の実施の形態】
次に、本発明の実施の形態を説明する。尚、本発明の実施の形態例と従来例との相違点は、装着部の受像シート押さえ板と剥離板であり、他の部分は同一であるので、同一部分には同一符号を付し、それらの説明は省略する。
【００４０】
最初に、図１から図４を用いて本発明の第１の実施の形態例を説明する。図１は本発明の第１の実施の形態例の要部構成斜視図、図２は図１における断面図、図３は図１における受像シート押さえ板４１のガイド穴４１ｂを説明する図、図４は他の実施の形態例を説明する図である。
【００４１】
図１から図３を用いて、受像シート押さえ板と第１のシャフトとの取り付けを説明する。
４０は断面形状が略矩形の第１のシャフト、４１は受像シート押さえ板である。第１のシャフト４０には、所定のピッチでめねじ穴４０ａが形成されている。
【００４２】
受像シート押さえ板４１の基端部側の第１のシャフト４０と対向する取り付け面４１ａには、第１のシャフト４０のめねじ穴４０ａに対向し、第１のシャフト４０の軸方向(図１において矢印I方向)に延出するガイド穴４１ｂが形成されている。更に詳しくは、図３に示すように、第１のシャフト４０の軸方向に長径(y)、第１のシャフト４０の軸方向と直交する方向に短径(x)を有する長穴である。
【００４３】
そして、受像シート押さえ板４１のガイド穴４１ｂを挿通し、第１のシャフト４０のめねじ穴４０ａに螺合するボルト４２を用いて、受像シート押さえ板４１は第１のシャフト４０に取り付けられている。
【００４４】
このボルト４２は、三つの部分からなる。第１のシャフト４０のめねじ穴４０ａに螺合するおねじ部４２ａと、おねじ部４２ａの山の径より径が大きく設定され、受像シート押さえ板４１のガイド穴４１ｂの短径(x)より小さな径の中径部４２ｂと、受像シート押さえ板４１のガイド穴４１ｂの短径(x)より大きな径の大径部４２ｃとからなる。更に、中径部４２ｂの首の長さ(z)は、受像シート押さえ板４１の板厚(t)より大きく設定されている。尚、本実施の形態例では、Z=t+0.1〜1.0mmとした。
【００４５】
よって、ボルト４２の中径部４２ｂは、ガイド穴４１ｂに遊嵌し、大径部４２ｃはガイド穴４１ｂの周縁に対して空間を介して対向している。
このような構成によれば、受像シート押さえ板４１は第１のシャフト４０の軸方向に対して移動可能であるので、熱によって受像シート押さえ板４１が第１のシャフト４０の軸方向に膨張しても、受像シート押さえ板４１は歪まない。よって、受像シート押さえ板４１は均一に受像シートを押さえ、転写時に受像シートにしわがよったり、ずれたりせず、良好な転写画像を得ることができる。
【００４６】
更に、本実施の形態例では、ボルト４２の中径部４２ｂの径は、ガイド穴４１ｂの短径(X)より小さく設定しているので、受像シート押さえ板４１は第１のシャフト４０の軸方向と直交する方向にも移動可能となっている。よって、熱によって、受像シート押さえ板４１が第１のシャフト４０の軸方向と直交する方向に膨張しても、受像シート押さえ板は歪まず、均一に受像シートを押さえることができる。
【００４７】
但し、受像シート押さえ板４１の第１のシャフト４０の軸方向と直交する方向の熱による膨張は、第１のシャフト４０の軸方向の膨張に比べ、無視できる程度に小さい。よって、受像シート押さえ板４１は第１のシャフト４０の軸方向にのみ移動可能であってもかまわない。
【００４８】
尚、本発明は上記実施の形態例に限定するのものではない。上記実施の形態例では、第１のシャフト４０と受像シート押さえ板４１との取り付けを説明したが、第２のシャフト５０と剥離板５１との取り付けにも適用できる。
【００４９】
この場合、剥離板５１は熱によって歪まず、ピンバーのピンに係合する画像シートの前端部を持ち上げることもなくなり、各色の画像シートの受像シートへの転写時に、転写画像がずれず、良好な画像を得ることができる。
【００５０】
また、上記実施の形態例では、長穴を受像シート押さえ板４１に設けたが、逆に、長穴を第１のシャフト４０に設け、めねじ穴を受像シート押さえ板４１に設けてもよい。
【００５１】
更に、長穴に限定するものではなく、ボルト４２の中径部４２ｂの径より大きな径で、大径部４２ｃの径より小さな径の丸穴でもよい。例えば、ボルト４２の中径部の径がφ5mmの場合、丸穴の径をφ5mm+0.1〜0.5mmとする。
【００５２】
更に、長穴状のガイド穴とこのガイド穴に係合するボルトからなるスライド機構に限定するものでもない。例えば、図４に示すように、第１のシャフト６０の内部に軸方向に延出するガイド穴６０ａを設け、受像シート押さえ板６１にガイド穴６０ａに摺動可能に係合するスライダ部６１ａを取り付けてもよい。
【００５３】
次に、本発明の第２の実施の形態を説明する。図５は本発明の第２の実施の形態例の要部構成図である。
図において、７０は受像シート押さえ板、７１は第１のシャフトである。７２は一端部がドラム６(装着部１０)に係止され、他端部が受像シート押さえ板７０の先端部側に係止され、受像シート押さえ板７０の先端部側を受像シート１１方向に付勢するスプリングである。
【００５４】
スプリング７２の受像シート押さえ板７０の両端部側の取り付けピッチ(a)は受像シート押さえ板７０の略中間部の取り付けピッチ(A)より密に設定されている。尚、本実施の形態例では、a=25mm,A=50mmとした。
【００５５】
即ち、受像シート押さえ板７０の両側部側に作用する付勢力を受像シート押さえ板７０の中央部側に作用する付勢力より大きく設定している。
また、本実施の形態例では、ドラム６にセットされる全てのサイズの画像シートに対応するように、受像シート押さえ板７０の両端部側に作用する大きな付勢力(スプリング７２をピッチaで設けた部分)は、ドラム６に設けられる複数の大きさの画像シートのうち、一番大きなサイズ(幅L)の画像シートの両端部から一番小さなサイズ(幅l)の画像シートの両端部にまで作用するように設けた。
【００５６】
上記構成によれば、受像シート押さえ板７０の両側部側に作用する付勢力を受像シート押さえ板７０の中央部側に作用する付勢力より大きく設定したことにより、受像シート押さえ板７０の押さえ力が長手方向にわたって略同一となり、転写時に受像シートにしわがよったり、ずれたりせず、良好な転写画像が得られる。
【００５７】
尚、本発明は、上記実施の形態例に限定するものではない。上記実施の形態例では、付勢力の同じスプリング７２の取り付けピッチを受像シート押さえ板７０の両端部側では小さく、中央部側では大きく設定するようにしたが、受像シート押さえ板７０の両端部側には、付勢力の大きなばねを、中央部側には付勢力の小さなばねを設けてもよい。
【００５８】
更には、受像シート押さえ板７０の中央部にはばねを設けず、両端部側にのみばねを設けてもよい。
上記実施の形態例では、付勢部材としては、金属のばねを例示したが、これに限定するものではなく、他に、ゴム、樹脂等の弾性体や磁石等であってもよい。
【００５９】
【発明の効果】
以上述べたように第１の発明の画像転写装置によれば、受像シート押さえ板は、少なくとも第１のシャフトの軸方向に移動可能に設けられているので、熱によって受像シート押さえ板が第１のシャフトの軸方向に膨張しても、受像シート押さえ板は歪まない。よって、受像シート押さえ板は均一に受像シートを押さえ、良好な転写画像が得られる。
【００６１】
第２の発明の画像転写装置によれば、前記受像シート押さえ板の両側部側に作用する付勢力を前記受像シート押さえ板の中央部側に作用する付勢力より大きく設定したことにより、受像シート押さえ板の両端部の押さえ力が中央部に比べて大きくなり、少なくとも２つの箇所で受像シートを押さえるので、受像シートは回転せず、良好な転写画像が得られる。
【図面の簡単な説明】
【図１】本発明の第１の実施の形態例の要部構成斜視図である。
【図２】図１における断面図である。
【図３】図１における受像シート押さえ板のガイド穴を説明する図である。
【図４】他の実施の形態例を説明する図である。
【図５】本発明の第２の実施の形態例の構成図である。
【図６】フォトポリマー感光性シートを用いた画像転写装置(カラー校正機)の全体構成図である。
【図７】図６における装着部の断面構成図である。
【図８】図７における切断線A-Aにおける断面図である。
【符号の説明】
４０  第１のシャフト
４０ａ  めねじ穴
４１  受像シート押さえ板
４１ａ  長穴
４２  ボルト
【図１】
0003661257.tif 000002
【図２】
0003661257.tif 000003
【図３】
0003661257.tif 000004
【図４】
0003661257.tif 000005
【図５】
0003661257.tif 000006
【図６】
0003661257.tif 000007
【図７】
0003661257.tif 000008
【図８】
0003661257.tif 000009